【事件の表示】
　上記当事者間の登録第４５４７５８０号商標の商標登録無効審判事件について、次のとおり審決する。
【結　論】
　登録第４５４７５８０号の指定商品中「鎮痛・解熱剤及び総合感冒薬」についての登録を無効とする。
　審判費用は、被請求人の負担とする。
【理　由】
第１　本件商標
　本件登録第４５４７５８０号商標（以下「本件商標」という。）は、「イブフィックス」の片仮名文字及び「ＩＢＦＩＸ」の欧文字を上下二段に横書きしてなり、平成１３年３月７日に登録出願され、第５類「薬剤，歯科用材料，医療用油紙，衛生マスク，オブラート，ガーゼ，カプセル，耳帯，眼帯，生理帯，生理用タンポン，生理用ナプキン，生理用パンティ，脱脂綿，ばんそうこう，包帯，包帯液，失禁用おしめ」を指定商品として平成１４年３月１日に設定登録されたものである。
　
第２　請求人の主張の要点
　請求人は、結論同旨の審決を求め、その理由及び被請求人の答弁に対する弁駁の理由を要旨以下のように述べ、証拠方法として甲第１ないし第４２号証（枝番を含む。）を提出している。
１　請求の理由
（１）本件商標について
（ア）本件商標は、請求人が昭和６０(１９８５)年以来「鎮痛・解熱剤及び総合感冒薬」について長年使用し著名となっている商標「イブ」と要部を共通にし、請求人の著名商標及び著名商品との関連性ないしは共通のイメージを需要者にアピールするものであって、少なくとも、その指定商品中の「鎮痛・解熱剤及び総合感冒薬」については、商標法第４条第１項第１５号に規定する著名商標と出所混同を生じるおそれのある商標(狭義及び広義の混同)に該当するものである。
（イ）本件商標は、その構成どおりに発音するときは「イブフィックス」の称呼が生じる。
　しかしながら、「イブ」と「フィックス」の結合については何ら必然的関連性を有するものではなく、むしろ請求人の商標「イブ」が市場で著名商標として広く認識されている事実との関係でみるならば、本件商標の要部は「イブ」の部分にあるというべきである。
　「フィックス」の語は、一般に「固定する」といった意味があるが、それ以外にも「（病気を）なおす」といった意味がある。これを本件商標について見てみるならば、「『イブ』でなおす」といったような意味合いが生ずる。また、発音上においても「イブ」の発音の後に、一呼吸おいて「フィックス」を発音する形となる。
　したがって、本件商標は、その構成全体が不可分一体の必然性を有するものではなく、市場で「イブ」の著名性が確立している事実に照らして考えるときは「イブ」の部分が強い識別力を発揮する商標といわねばならない。
（ウ）本件商標のごとく、「イブ」を主要部とし、これに「イブ」を修飾ないしは強調するような「フィックス」の語を付加してなる商標は、需要者に対し請求人の著名登録商標との関連性、共通性をアピールするものであり、ましてやかかる商標が請求人の著名商標が使用されている商品と同一の商品について使用される場合には、需要者に対し請求人の著名商標、著名商品との関連性を強く印象付けるものであって、本件商標の実質的要部は「イブ」にあるものといわねばならない。
　したがって、かかる構成よりなる本件商標が著名商標「イブ」の使用に係る商品と同一又は類似の商品に使用されるときは、需要者に対し、請求人の著名商標、著名商品との関連性ないしは共通のイメージをアピールするものであり、商標法第４条第１項第１１号及び同項第１５号に該当する。
（エ）特許庁が定める「商標審査基準」においても、他人(請求人)の著名商標に他の語を結合させてなる商標については、原則として他人の著名商標に「類似」(４条１項１１号)し、これと「混同」(４条１項１５号)を生じるおそれのある商標として扱われるものとされている(甲第１８号証の１ないし３参照)。
（オ）事実、本件商標は、被請求人が使用許諾を与えたと思われる沢井製薬(株)によって(但し、商標登録原簿上においての使用権は登録されていない)、請求人の著名商標「イブ」が用いられているのと同じ「解熱鎮痛剤」に使用される予定であることが判明した。
　甲第１９号証の１ないし３は、「薬務公報」(業務公報社発行)であるが、これによれば、沢井製薬(株)は平成１５年１月２９日に本件商標を「解熱鎮痛剤」について用いて販売すべく製造承認を得ている。
　さらに、被請求人は、これ以外にも請求人の著名商標「イブ」を含んでなる４件の登録商標(「イブレスト／ＩＢＲＥＳＴ」、「イブフィット／ＩＢＦＩＴ」、「イブアップ／ＩＢＵＰ」、「イブウイズ／ＩＢＷＩＴＨ」）を有しているが、「イブフィット／ＩＢＦＩＴ」を除く残りの３件についても沢井製薬(株)が「解熱鎮痛錠」についての販売名として承認を受けており(甲第１９号証の１及び２)、「イブレスト／ＩＢＲＥＳＴ」については、すでに沢井製薬(株)により「解熱鎮痛錠」について使用開始されている。
（カ）しかしながら、かかる行為は、請求人が長年の営業努力で築き上げた著名商標「イブ」の信用に乗じ、これと類似の商標を用いることによって著名商品との共通のイメージにて需要者にアピールすることを狙ったものであって、著名商標の信用を保護する商標法第４条第１項第１５号に該当するものである。
（２）請求人が引用する著名登録商標及びその使用実績と宣伝広告について
（ア）請求人が引用する著名登録商標は、次のとおりであり、以下、これらを総称して単に「引用商標」ということがある。
・登録第1598640号：「イブ／ＥＶＥ」、旧第１類（甲第２号証）
・登録第3065022号：「イブ」、第５類（甲第３号証）
・登録第3065023号：「ＥＶＥ」、第５類（甲第４号証）
　また、請求人は、引用商標以外にも次の登録商標を所有している。
・登録第3065024号：「イブ／ＩＢ」、第５類（甲第５号証）
・登録第2468015号：「イブエース」、旧第１類（甲第６号証）
・登録第2468016号：「ＥＶＥ　ＡＣＥ」、旧第１類（甲第７号証）
・登録第1598641号：「エスタックイブ／Ｓ．ＴＡＣ　ＥＶＥ」、旧第１類（甲第８号証）
（イ）引用商標を使用した商品「鎮痛・解熱剤」は、昭和６０年(１９８５年)１２月に販売開始(甲第９号証の１及び２)されて以来、今日まで継続して販売され、需要者より好評を得た人気商品となっている。その商品形態は請求人製品目録抜粋(甲第１１号証の１及び２)に示すとおりであり、今日においては多数販売されている同業他社の「鎮痛・解熱剤」の中でも日本のトップ４に入る商品となっており、２００３年現在におけるシェアは１１．９％で、かかる商品の年商は２００３年度で約５９億円(小売価格ベース)に上っている(甲第１０号証)。
　なお、２００５年度のシェアは第３位(甲第２０号証)で、市場で５００種を超える「鎮痛・解熱剤」の中にあってトップ３にランクされる商品となっている。請求人の「イブ」が如何に著名であるかを客観的に裏付けるものである(市場に存在する５００種を超える鎮痛・解熱剤については甲第２１号証参照)。
（ウ）請求人の登録商標「イブ」に対する宣伝広告状況は次のとおりである。
　請求人が登録商標「イブ」を用いて「鎮痛・解熱剤」の販売を開始したのは、昭和６０年(１９８５)１２月であるが(甲第９号証の１及び２)、その販売開始直後の昭和６１年１月より、週刊誌、テレビ、新聞等で大々的宣伝広告を行った(その一例は、甲第２２ないし第２５号証)。以後、様々な形態による宣伝広告が今日まで継続して行なわれてきているのである。
　請求人が販売開始以来、「鎮痛・解熱剤」の宣伝広告に費やしてきた費用については次に示すとおりである。すなわち、昭和６１年(１９８６)は「鎮痛・解熱剤」「イブ」の販売開始の事実上の初年度であるが、この年に費やした宣伝広告費だけで６億７９００万円に上っている。そして、平成７年(１９９５)までの１０年間に費やした費用は、実に３０億５２００万円に上り（甲第２６号証）、平成１０年から平成１５年の６年間では５億円超の宣伝広告費を費やし（甲第１２号証）、販売開始以来の宣伝広告費は数十億円に上り、今日に至るまで「イブ」の著名性を維持してきたのである。
（エ）さらに、請求人は、「総合感冒薬」に関して登録商標「エスタックイブ／Ｓ．ＴＡＣ ＥＶＥ」(甲第８号証)を使用し、平成４年より販売している。請求人の当該「総合感冒薬」の商品形態は、請求人製品目録抜粋の甲第１３号証の１及び２に示されるとおりであるが、特に、「イブ」の部分を強調した使用態様を行なっている。
　当該総合感冒薬も、同業他社より数多く販売されている総合感冒薬の中にあっても、需要者に対し最も人気ある商品の一つとして知られていることは上記「鎮痛・解熱剤」の場合と同様である。
　したがって、「総合感冒薬」について単に「イブ」といえば、請求人の上記総合感冒薬を指すものとして認識されており、現実に薬局等で「『イブ』を下さい」といえば、何らの説明も要せず、直ちに請求人の「鎮痛・解熱剤」としての「イブ」、「ＥＶＥ」、あるいは「総合感冒薬」の「エスタックイブ／Ｓ．ＴＡＣ ＥＶＥ」を示すものとして理解される状況となっているのである。
（３）特許庁における「イブ」の著名性の認定
　請求人の使用する登録商標「イブ」が「薬剤」について著名となっていることから、「薬剤」に関して、「イブ」の発音を含む商標が数多く出願される状況にある。これは「イブ」が二文字かつ２音という短い構成よりなるため、他の語と組み合わせることにより、一見「イブ」と非類似の商標のように見えるからである(本件商標もその例である)。しかしながら、一旦登録され、実際の使用の段になると、本件がそうであるように、そのほとんどが「鎮痛・解熱剤」か「総合感冒薬」について使用されるのが実情である。
　以下は、登録後、請求人からの異議申立あるいは無効審判により、特許庁において請求人の著名商標と混同のおそれがあるとして登録が取り消され、あるいは無効とされた事案である。
（ア）「イブ」の語を含み「薬剤」を指定商品として登録された「恵快イブ」に対し請求人が異議申立をしたところ、特許庁は、請求人の商標「イブ」は「鎮痛・解熱剤」に関し著名であることを認定し、登録を取り消している(甲第１４号証）。
（イ）「イブ」、「ＩＢＵ」の語を含み「ホワイトイブ／ＷＨＩＴＥＩＢＵ」として構成された商標が「薬剤」を指定商品として登録されたが、かかる登録商標に対する無効審判において、特許庁は、請求人の登録商標「イブ」についての著名性を認め、かかる商標登録を無効としている(甲第１５号証）。
（ウ）さらに、「オムニンイブ」、「オール・イブ」の各登録商標についても、特許庁は請求人の登録商標「イブ」についての著名性を認め、これらと混同のおそれがあると認定し登録を無効としている(甲第１６及び第１７号証）。
（エ）また、「イブペイン」としてカタカナで登録を受けながら、使用の実際においては需要者に対し、請求人の著名商標「ＥＶＥ」との関連性ないしは共通のイメージをアピールするために、パッケージに「ＥＶＥＰＡＩＮ」を大きく表示して「解熱鎮痛剤」を販売した業者に対しては登録商標の不正使用として不正使用取消審判を請求し、この審決に対する審決取消訴訟を知的財産高等裁判所に提起したところ(平成１８年(行ケ)第１０３７５号)、平成１９年２月２８日に判決が下された（甲第２７号証）。
　知財高裁における上記判決は、請求人の登録商標「イブ」、「ＥＶＥ」についての著名性を明確に認定し、さらにかかる著名性を考慮し、著名商標をそっくり含んでなる商標「ＥＶＥＰＡＩＮ」については、著名商標の商標権と何らかの関係がある者による商品であるかのごとく想起せしめ、著名商標権者の商品との間で出所混同を生じるおそれがあるといわねばならないとし、これと異なる認定の審決を違法として取り消している。
（４）最高裁判決、高裁判決にみる「混同のおそれ」の認定
（ア）最高裁は、平成１０年（行ヒ)第８５号に関する判決(平成１２年７月１１日言渡）にて、商標法第４条第１項第１５号(著名商標の保護)にいう「混同のおそれ」の解釈について判示している。
　この判決の趣旨は、他人の著名な商標と同一、類似の商標を、その著名な商標が使用されている商品、役務等(以下「商品等」という。)に使用した場合に、その著名な商標権者の商品等との間で現実に混同が生じるおそれがある場合(狭義の混同)のみならず、著名商標の商標権者との間に何らかの営業上の関係(親子関係であるとか関連企業であるとか)があるかのように誤信されるおそれがある場合(広義の混同)も含むというものである。要するに、商標法第４条第１項第１５号(著名商標の保護)は上記の「狭義の混同」及び「広義の混同」の両方について規定していると見なければならないという趣旨である。
（イ）これを本件についていうならば、請求人の登録商標「イブ」は「鎮痛・解熱剤」、「総合感冒薬」について、すでに著名商標となっていることは客観的事実であるから、これと類似する商標を上記「鎮痛・解熱剤」及び「総合感冒薬」について使用する場合(狭義の混同)のみならず、他の関連商品(すなわち、上記以外の「薬剤」)についても使用するとき、請求人の業務との関係で関連を想起せしめるおそれ(広義の混同)があるという趣旨に解釈できるものである。よって、少なくとも、本件商標はその指定商品中「鎮痛・解熱剤」及び「総合感冒薬」については、商標法第４条第１項第１５号に基づき無効とされなければならない。
（５）引用商標の著名性を認め、自発的に使用を中止した例
　引用商標が、請求人の「鎮痛・解熱剤」及び「総合感冒薬」において著名であるため、これに不正に乗ずべく、「イブ」に他の語を結合させた商標を出願する者が後を絶たず、一旦登録を受けるや、実際の使用の段になると「イブ」の部分を殊更強調し、しかも引用商標が用いられているのと同種の「鎮痛・解熱剤」、「総合感冒薬」に使用される例が後を絶たないのが実情である。
　これらに対しては、請求人は、内容証明の送付、訴訟の提起、その他の文書により使用中止、名称変更等を申し入れた結果、これまでに数社は引用商標の著名性を理解し、名称変更及びパッケージ変更等を約束し、あるいは請求人との間において「鎮痛・解熱剤、「総合感冒薬」については、それら商標を使用しない旨の「覚書」の締結を行なっている。
　これは、「薬剤」等については、その開発から市場で需要者に信頼され、定着するまでには並々ならぬ営業努力が必要であることは、同業者であれば十分理解できることを示した事例である。
　しかしながら、被請求人は、本件商標を除き、「イブ」を含む上記４件の商標について、沢井製薬(株)には「鎮痛解熱剤」について使用許諾を与え、東亜薬品(株)に対しては５件の商標全てについて「総合感冒薬」に使用すべく、使用許諾を与えている(但し、商標登録原簿上においては使用権は登録されていない)。しかし、かかる行為は、形式的には登録商標の使用であるとはいえ、その実質においては他人の著名商標、著名商品の信用にあやかる行為と非難されてもいたしかたない。
　実際問題として、例えば被請求人が所有する登録商標で「男性用ヘアクリーム」について使用されている「ウーノ／Ｕｎｏ」があるが、これに対して、もし、被請求人と無関係の第三者が同じ「男性用ヘアクリーム」について「ウーノアップ／ＵＮＯＵＰ」、「ウーノレスト／ＵＮＯＲＥＳＴ」 、「ウーノフィックス／ＵＮＯＦＩＸ」、「ウーノウイズ／ＵＮＯＷＩＴＨ」といったような商標を使用して販売した場合を考えてみれば、請求人の主張が理解し得るものと考える。
（６）まとめ
　以上のとおり、本件商標は、請求人の著名商標「イブ」に類似し、これと混同を生ずるおそれがある商標であって、商標法第４条第１項第１１号及び同項第１５号に該当するものといわなければならないから、少なくとも「鎮痛・解熱剤」及び「総合感冒薬」については、その登録を無効とされるべきものである。
２　弁駁の理由
（１）被請求人の主張は主観的なものである。
（ア）被請求人は、答弁書において、引用商標は著名でない、引用商標と本件商標とは非類似であり、混同のおそれがないなどと主張するが、これらは何れも引用商標の著名性を正しく考慮したものではなく、独自の見解を前提として商標の類否、混同のおそれの有無等を主張するものであって客観性を欠くものといわねばならない。
　例えば、「イブ」は「Ｉｂｕｐｒｏｆｅｎ」の「Ｉｂ」を示すものなどはその典型であり、もし、その必要があるならば、商品の成分を記述すべき箇所に「イブプロフェン配合」とすればよいことであって、商標として用いる以上、商標の使用としての評価、制約を受けるのは当然である。
（イ）また、引用商標は「イブ」と「ＥＶＥ」とが一体として使用されることによって始めて特定されるものなどと、独自の主観に基づく主張をしているが、商標が認識されるのは「外観、称呼、観念」等の要素によってであり、視覚のみによるものでもなく、つづり方(スペル)だけによるものでもない。むしろ、最も簡易迅速な取引の場では称呼(発音)によって取引されているのであり、本件のような著名商標にあっては、薬局等で「イブ」と称呼すれば、請求人の「イブ／ＥＶＥ」を認識する状況となっていることは客観的事実であり、称呼とつづりによって認識度が異なるものでもない。被請求人のかかる主張は、商品取引の場で商標がどのように機能しているかを無視した極めて主観的なものである。
（ウ）同様に、「イブ」と「フィックス」は一体であるなどと主張するのも、すでに「イブ」が著名商標として存在している状況にあっては無理である。
　何故ならば、本件商標は著名商標「イブ」と同じ商品分野で使用されるものであるが、その商品分野では「イブ」の二文字は著名商標として強い識別力を発揮しているものであって、一見「イブフィックス」と一連に構成されているようであっても「イブ」と「フィックス」とが不可分一体とされるべき合理的理由もなく、「イブ」と「フィックス」とが同価値ではないからである。
（エ）請求人は、審判請求書にて被請求人が「男性用ヘアクリーム」について使用している「ウーノ／Ｕｎｏ」という登録商標について、被請求人と無関係の第三者が被請求人と全く同じ「男性用ヘアクリーム」について「ウーノアップ／ＵＮＯＵＰ」、「ウーノレスト／ＵＮＯＲＥＳＴ」、「ウーノフィックス／ＵＮＯＦＩＸ」、「ウーノウイズ／ＵＮＯＷＩＴＨ」といったような商標を使用しても非類似と考えられるかどうかを述べた。
　被請求人の主張によれば、これを「良し」とする考えととれるが、もし、実際にかような場面に遭遇したときにこれと異なる主張をするときは「禁反言」として法律上の主張が制限されるおそれがあることを自認すべきであろう。
（オ）さらに、第三者の登録商標ではあるが、本件商標と同じく「総合感冒薬」について非常に良く知られている商標に「ルル」というのがある。この「ルル」が審・判決にて著名商標と認定されたかどうかは不明であるが、もし、第三者が同じ「総合感冒薬」に「ルルフィット」、「ルルアップ」、「ルルレスト」、「ルルフィックス」、「ルルウイズ」といったような商標を使用することが許されるかどうかを考えてみれば、明らかに不合理であることが分かる筈である。
（２）著名商標の持つ著名度等の具体的状況が加味されていない。
　引用商標がすでに薬剤関係で著名商標として存在している以上、これを一部に含んでなるような商標が同じく薬剤関係に使用されるときは、いくつかの審・判決例で示されているように、著名商標の持つ著名度、著名商標が使用される商品との同一、類似性、その商品についての取引者、需要者層の同一性等の具体的状況を考慮して判断しなければならないのであって、それら具体的状況を抜きにした定型的な「外観、称呼、観念」といった要素からだけの類否判断では抽象的に過ぎ、著名商標との関係で必要とされる具体的判断要素が加味されたことにはならない。
　したがって、定型的な判断で登録されたからといって、具体的な混同のおそれがないということにはならないのである。商標法における第４条第１項第１１号と同項第１５号との違いもここにある。
（３）被請求人の掲げる既登録例は本件での根拠とはならない。
　以上のことから、被請求人が非類似主張の根拠として上げている登録例(乙第１ないし第２９号証)をもって非類似の根拠や混同のおそれが無いことの根拠とはなり得ないのである。
　商標法において商標の類似、混同に関する規定としては、商標法第４条第１項第１１号と同項第１５号がある。前者における商標の類似、非類似、混同のおそれの判断では、対比される商標の周知・著名性、使用商品の同一、類似性、需要者層の同一、類似性等の個別事情は加味しておらず、一般的かつ定型的な類似、混同を想定した判断であるのに対し、後者における判断では、比較されるべき商標の持つ著名度、使用される商品の同一、類似性、需要者層の同一、類似性等の具体的事情を加味し、さらに著名商標権者と何らかの関係がある者による商品であるかのごとく関連性を想起せしめるような事情を総合的に判断して行なうものである(資料１の最高裁判決、甲第１８号証の１及び２の特許庁審査基準参照)。
（４）本件商標は、引用商標が著名となって８年も後に出願されたもの。
　さらに、被請求人が非類似の根拠として上げる登録例は、被請求人が述べるように、２９件の商標のうち乙第１ないし第５号証までの５件の商標は、請求人の引用商標が使用開始(昭和６０年１２月)される前に出願されているが、それ以外の２４件の商標は請求人が大々的に「鎮痛・解熱剤」について使用を開始した後に出願されたものである。
　したがって、請求人の引用商標との関係での具体的状況を加味し、類否判断されたものでもなく、混同のおそれの有無を判断されたものでもない。
　よって、著名商標との関係で求められる具体的状況を前提とし、上記知財高裁判決及び特許庁審決の趣旨に沿って判断されるときは、引用商標が著名性を確立してから８年以上も後に出願され、しかも、著名商標が用いられている商品と同一、類似の商品に使用されるような本件商標は、請求人の著名登録商標と類似し、これと混同のおそれがある商標といわねばならない。
　被請求人の主張は、単に「イブ」を含む他の登録例が存在するといった点に依拠しているが、そのこととそれら商標が請求人の著名商標が用いられている商品と同一、類似の商品に用いられるときに、混同のおそれが無いかどうかとは全く異なることであり、この点における被請求人の主張は本件においての合理的根拠とはならない。
（５）著名商標との類似、混同に関する審・判決例
（ア）甲第２９ないし第３５号証として掲げるのは、薬剤分野で著名な登録商標「メバロチン」、「ＭＥＶＡＬＯＴＩＮ」との関係で、一旦登録はされたものの、著名商標の持つ具体的事情を加味して判断するときは、これと類似し、あるいはこれと混同のおそれがあるものとして登録後において無効とされた審判決例であり、本件審判における請求人の主張と軌を一にするものである。
（イ）上記審・判決例から明らかなように、審査の段階では、形式的かつ定型的判断である「外観、観念、称呼」といった要素から判断され(主として第４条第１項第１１号の観点)登録されることがあっても、登録後にある商標がある商品について大々的に使用され、その結果高い著名性を獲得したときは、その著名商標の持つ類似の幅、混同のおそれの範囲はその著名度に比例して拡大するものであり、これが第４条第１項第１５号の存在意義であり、具体的状況に沿って類似、混同の判断をし、形式的判断による欠陥を個別的に補充・修正しているのである。
（ウ）引用商標は複数の審判決で認められた著名商標であり、これをその主要部として含む本件商標が同一、類似の商品に使用されるときは、明らかに引用商標と類似し(第４条第１項第１１号)、これとの関連性を想起せしめ、出所について混同を生じるおそれ(第４条第１項第１５号)があるものといわねばならない。
（６）被請求人の本件商標採択の意図
（ア）被請求人は、「イブフィックス／ＩＢＦＩＸ」は、非ステロイド系消炎鎮痛剤であるイブプロフェン（ｉｂｕｐｒｏｆｅｎ）に由来して命名したものであり、あたかも「イブ」が「イブプロフェン」の正式略称か、「イブプロフェン」を指す用語として一般に認識されている語であるかのごとく述べている。しかし、「イブ」が「イブプロフェン」の正式略称でもなければ、そのようなものとして一般人に認識され使用されている事実はない。（もし、そうでないとするならば、その客観的事実を提出されたい。）
（イ）被請求人は、「イブ」について、「イブプロフェン／ｉｂｕｐｒｏｆｅｎ」に由来するものであるとか、「イブプロフェン／ｉｂｕｐｒｏｆｅｎ」の略称であるかのごとくの主張を繰り返しているが、実際に市販されている「鎮痛解熱剤」や「総合感冒薬」で、需要者に知られている商品において「イブプロフェン／ｉｂｕｐｒｏｆｅｎ」が配合されていることを示すため、どのような表示がなされているかを甲第３６号証ないし甲第４２号証（実際のパッケージ写真）で示す。
（ウ）医薬品の成分表示等は、正確に表示されなければならないものであって、成分表示であるならば成分表示として行うべき場所に、疑いのないように明確に表示すべきであり、被請求人の主張は、全く独自の主観に基づいた便宜的主張と言わねばならない。
　
第３　被請求人の答弁の要点
　被請求人は、本件審判の請求は成り立たない、審判費用は請求人の負担とする、との審決を求め、その理由を要旨以下のように述べ、証拠方法として乙第１ないし第３０号証を提出している。
１　本件商標について
（１）本件商標は、片仮名文字の「イブフィックス」と英文字の「ＩＢＦＩＸ」とを上下二段に表記した態様からなるものである。「ＩＢＦＩＸ」、「イブフィックス」は、同じ書体、同じ大きさで横一連に表記された態様からなるものであり、「イブフィックス」、「ＩＢＦＩＸ」と一連にのみ認識される商標であり、「ＩＢ」、「イブ」と「ＦＩＸ」、「フィックス」とに分断されるべきものではない。また、本件商標は、「イブフィックス」と何等の澱みもなく、円滑に一連に称呼することが出来るものであり、請求人が主張するような「イブ」と「フィックス」とが、一呼吸おいて発音されるようなものではない。
　本件商標は、全体を一連に理解すべきものであって、「イブ」に要部があるとはいい得ないものである。
（２）請求人は、「ＩＢＦＩＸ」及び「イブフィックス」からなる本件商標について、「イブ」と「フィックス」に分断して認識されると主張し、「『イブ』でなおす」との意味合いを感得させると主張する。
　しかしながら、本件商標は、非ステロイド系消炎鎮痛剤として広く知られているイブプロフェン(ｉｂｕｐｒｏｆｅｎ)の「ｉｂ」と「ｆｉｘ」とを結合してなる造語であり、特定の意味観念を生じないものであって、請求人の主張するような意味合いを理解させるものではない。請求人は、殊更に「イブ」の部分をかっこで括って強調し、「イブ」と関連した意味合いがあるかの如くに主張するにすぎない。
（３）請求人は、「イブ」は著名商標であり、本件商標は著名商標「イブ」を含むものであるから、引用商標と類似し、或いは出所の混同を生ずると主張する。
　しかしながら、後述するように、請求人が使用している商標は、英文字の「ＥＶＥ」とその発音表記としての「イブ」であり、英文字と関連しない「イブ」のみが独立して使用され、著名になっているとは到底いい得ないものである。
　したがって、「ＥＶＥ」を含んでいない本件商標には、請求人主張のような無効理由は存在しないものである。
２　引用商標の著名性について
（１）請求人は、片仮名の「イブ」が著名である旨主張するが、誤りである。請求人が「鎮痛・解熱剤、総合感冒薬」について使用している商標は、片仮名のみの商標ではなく、英文字の「ＥＶＥ」とその表音文字としての「イブ」であり、「ＥＶＥ」と「イブ」 は、表裏一体の関係において使用され、需要者、消費者に知られているものである。
　このことは、請求人が提出した当該商標の使用態様を示す甲第９、第１１及び第２２ないし第２５号証からも明らかである。これら証拠に示されている使用の態様は、英文字の「ＥＶＥ」を極めて大きく目立つように表し、片仮名の「イブ」は英文字の発音を示すものであるかのように、「ＥＶＥ」の横或いは下に非常に小さな文字で表してなるものである。
　また、甲第１１号証に示されている「イブＡ錠」においても、「ＥＶＥ」が大きく表記されているのであり、「イブ」は「ＥＶＥ」の表音表示として表示されていると理解される態様であるにすぎない。
　さらに、「工スタックイブ」は、「イブ」の部分が「工スタック」の部分より若干大きく表示されてはいるが、依然として一連の表示と理解される態様である。しかも、この「工スタックイブ」は、前記「ＥＶＥ／イブ」商標が使用されている解熱鎮痛剤ではなく、風邪薬であり、商品が異なるものである。
　したがって、取引において商品の混同を回避する観点からしても、「工スタックイブ」 が単に「イブ」と把握されて取引されることはないというべきである。
　以上のとおり、請求人の提出した証拠によっては、「イブ」は「ＥＶＥ」との関連において一体的に理解される態様で使用されているものであり、片仮名の「イブ」のみが独立して使用された事実は認められず、ましてや片仮名の「イブ」のみが、消費者、需要者に広く知られていたことを示す証拠はない。
（２）請求人が使用してきた商標「ＥＶＥ」は、「イブ」の発音の他、「エベ」「エバ」等の発音も生ずるが、請求人は「ＥＶＥ」の発音を「イブ」に特定するために、表音として片仮名の「イブ」を「ＥＶＥ」とともに用いて来たものであり、「イブ」と「ＥＶＥ」とは、一体の関係において請求人により使用され、同時に消費者、需要者に理解されていたものである。
　また、「イブ」の発音が出る標章としては、「ＥＶＥ」の他、「ＩＢ」、「ＩＢＵ」等も存在し、請求人は同じ「イブ」の片仮名文字で特定される商標「イブ／ＥＶＥ」と「イブ／ＩＢ」の登録商標を有しいるが、実際に使用しているのは「イブ／ＥＶＥ」商標のみであり、「イブ／ＩＢ」商標ではない。片仮名の「イブ」だけでは、登録商標のいずれを使用しているかを特定することは出来ないものであり、英文字の「ＥＶＥ」と共に使用することにより、いずれの登録商標を使用しているかを特定でき、他人からの不使用取消も免れうるものである。
（３）なお、付言すれば、請求人は、審判請求書において「請求人が引用する著名登録商標『イブ』は請求人により昭和６０年(１９８５)年に使用を開始した」と述べているが、この当時の登録商標は「イブ」と「ＥＶＥ」 を二段書きした商標であり、「イブ」単独ではないし、使用開始時の商標も前述したように「イブ」単独ではない。請求人の主張は、誤認に基づくものである。
　請求人は、英文字の「ＥＶＥ」 を前述したような態様で顕著に表記して使用して来たものであり、また、「イブ」を「ＥＶＥ」と一体として使用することによって、単に「イブ」のみを使用したのでは「ＩＢ」、「ＩＢＵ」若しくは「ＥＶＥ」商標のいずれを使用しているのか、消費者、需要者に明らかにすることが出来ないため、「ＥＶＥ」と一体に使用することによって、商標を特定し商標としての出所識別性を発揮させているのである。
　そして、取引者・需要者においても「イブ」は英文字の「ＥＶＥ」を表すものとして、一体に理解され、認識されているというべきであり、「イブ」は「ＥＶＥ」を念頭におきつつ理解し、把握されるものである。
　したがって、仮に請求人が主張するように「イブ」が著名になっているとしても、それは「ＥＶＥ」と一体の関連において理解されるべきものであるから、「ＥＶＥ」を含まない本件商標「ＩＢＦＩＸ」、「イブフィックス」は、他人の著名商標を含むものでないことは明らかであり、請求人の主張する無効理由は成立しないものと思料する。
（４）請求人は、知財高裁の平成１９年２月２８日の「ＥＶＥＰＡＩＮ」商標に関する判決を引用しているが、この判決は、片仮名文字のみからなる商標「イブペイン」を有している商標権者が、英文字の「ＥＶＥＰＡＩＮ」商標を使用したことに対して、当該「ＥＶＥＰＡＩＮ」商標は、「ＥＶＥ／イブ」商標を含む商標であるから不正使用に該当するとしたものである。
　本判決は、請求人の商標「ＥＶＥ」が著名であることを認めて、「ＥＶＥＰＡＩＮ」商標は「ＥＶＥ」を含んでいると認定したものであり、片仮名文字のみからなる商標「イブペイン」を英文字の「ＥＶＥＰＡＩＮ」に変更使用した点において、不正使用が認定されたものであって、「ＥＶＥ」を含んではいない商標を対象とする判断でないことは明らかである。
　請求人が使用してきた商標は、英文字の「ＥＶＥ」及びその称呼としての「イブ」であり、「イブ」は英文字の「ＥＶＥ」の発音表記として使用され、需要者、消費者に知られているものであって、このことは、知財高裁判決が「ＥＶＥ」の欧文字と「イブ」の片仮名文字からなる引用商標を、「ＥＶＥ」と「イブ」とをまとめて一体の関係でその著名性を認定していることからも明らかであり、片仮名文字の「イブ」のみを特に取り上げて周知性を認定しているものではない。
　これに対し、本件商標は「ｉｂｕｐｒｏｆｅｎ」の「ＩＢ」から創作された言葉であり、「ＥＶＥ」とは全く関連のないものである。したがって、本件商標は、「ＥＶＥＰＡＩＮ」のように「ＥＶＥ」と「ＰＡＩＮ」とに分断されるような必然性はなく、全体が一連に「イブフィックス／ＩＢＦＩＸ」とのみ認識される商標であるので、「ＥＶＥＰＡＩＮ」とは事案を異にするものである。
（５）著名登録商標「メバロチン／ＭＥＶＡＬＯＴＩＮ」に係る審・判決例においては、「メバロ」を接頭語とする医薬品が「メバロチン」以外にはなく、また「メバ」を接頭語とする医薬品が「メバロチン」以外にはごく僅かしかないことを根拠に商標「メバロチン」の独創性が認められ判断されたものであるから、引用商標のありふれた語である「ＥＶＥ」とは事案を異にするものである。しかも、本件商標は「ＥＶＥ」を含まない商標であるから、「メバロチン」の審・判決例が適用される余地はない。
３　「イブ」を含む商標について
（１）「イブ」の部分を含む本件商標「ＩＢＦＩＸ」、「イブフィックス」 は、非ステロイド系消炎鎮痛剤として広く知られているイブプロフェン(ｉｂｕｐｒｏｆｅｎ)の「ｉｂ」と「ｆｉｘ」とを結合してなる造語であり、特定の意味観念を生じない一連不可分の商標であって、「イブ」若しくは「ＥＶＥ」とは、外観、称呼、観念を異にする非類似の商標である。
　本件商標の「ＩＢ」は、イブプロフェン(ｉｂｕｐｒｏｆｅｎ)の頭文字の(ＩＢ)に由来するものであるが、このようにｉｂｕｐｒｏｆｅｎに由来する「ＩＢ」若しくは「ＩＢＵ」或いはその表音表示である「イブ」、「イヴ」を語頭部に有した商標は、下記に示すように多数の商標が登録されている（乙第１ないし第２９号証）。これらの商標は、「薬剤」を指定商品とし、「イブ」の部分を共通にするが、「ＥＶＥ」を含まない商標であるため、「イブ」、「ＥＶＥ」とは類似しない商標であるとして取り扱われているものである。
　　　　　　　　　　　　　　　　記
・「イブプロシン」（登録第1315334号：乙第１号証）
・「イブフラメン」（登録第1379776号：乙第２号証）
・「イブタント」（登録第1385520号：乙第３号証）
・「ＩＢＵＰＲＯＣＩＮ」（登録第1387657号：乙第４号証）
・「イブハーツ／ＩＢＵＨＥＡＲＴＳ」（登録第1593940号：乙第５号証）
・「ＩＢＵＳＴＲＩＮ」（登録第2220928号：乙第６号証）
・「イブプラミン／ＩＢＵＰＲＡＭＩＮ」（登録第2226889号：乙第７号証）
・「イブプロール／ＩＢＵＰＲＯＡＬ」（登録第2226892号：乙第８号証）
・「イブサンフェニル／ＩＢＳＡＮＰＨＥＮＹＬ」（登録第2306656号：乙第９号証）
・「イブウェル／ＩＢＷＥＬＬ」（登録第2538742号：乙第１０号証）
・「イブレディ」（登録第2559055号：乙第１１号証）
・「イブバランス」（登録第2559056号：乙第１２号証）
・「イブステン」（登録第2598769号：乙第１３号証）
・「イブフェン／ＩＢＦＥＮ」（登録第3200390号：乙第１４号証）
・「イブタッチ／ＩＢＴＯＵＣＨ」（登録第3200391号：乙第１５号証）
・「イブオーレ」（登録第3260010号：乙第１６号証）
・「ＩＢＲＥＸ」（登録第4061042号：乙第１７号証）
・「ＩＢＲＡＸＩＯＮ」（登録第4326842号：乙第１８号証）
・「イブマイン／ＩＶＥＭＩＮ」（登録第4369490号：乙第１９号証）
・「イブプロパワー」（登録第4683807号：乙第２０号証）
・「イブウェル／ＩＢＷＥＬＬ」（登録第4744950号：乙第２１号証）
・「イブリサール」（登録第4827325号：乙第２２号証）
・「イブプロアクト」（登録第4833409号：乙第２３号証）
・「イブカット」（登録第48658l2号：乙第２４号証）
・「イブスキット」（登録第4865813号：乙第２５号証）
・「イブフレックス／ＩＢＵＦＬＥＸ」（登録第4922761号：乙第２６号証）
・「ＩＢＮＩＣ／イブニック」（登録第4952835号：乙第２７号証）
・「イブパワー」（登録第5008994号：乙第２８号証）
・「イヴマリア」（登録第5001036号：乙第２９号証）
（２）以上の登録商標の内、乙第１ないし第５号証の商標は、請求人が使用を開始する前に登録されたものであり、請求人が有している登録商標「イブ／ＥＶＥ」（甲第２号証）は、これらとは類似しない商標として登録されたものである。
　また、「イブ」「ＥＶＥ」商標が、何時の時点において著名になったか、請求人の主張からは必ずしも明確ではないが、請求人が提出した甲第１４号証からすると、遅くとも平成１３年には著名になっていたと主張しているように推測されるが、かかる時点の後においても乙第２０ないし第２９号証の商標は、「イブ」「ＥＶＥ」とは類似しない商標として登録されている。
　このことは、「イブ」「ＩＢ」「ＩＢＵ」を含む商標は、「ＥＶＥ／イブ」とは類似しないものであることが、甲第１４ないし第１６号証の異議決定若しくは無効審決の判断がされた後においても、変わりなく取り扱われていることを示すものに他ならない。
　しかも、甲第１４ないし第１６号証において判断の根拠とした、「イブＡ錠」は上記甲第９、第１１及び第２２ないし第２５号証の「ＥＶＥ」商標の一変更態様にすぎず、「ＥＶＥ」と同様に、「ＥＶＥ」の部分を大きく目立つように表し、「イブ」を小さく表してなるものであってみれば、「イブ」単独が独立して使用されたとはいい得ないことは明らかであり、「イブ」は「ＥＶＥ」と関連して使用され、関連して認識されているというべきものである。
４　その他の主張について
（１）請求人は、総合感冒薬について、単に「イブ」といえば請求人の商品を指すものとして認識されていると主張するが、薬局等において「イブを下さい」といったときには、「ＥＶＥ」を念頭に置いて「イブ」と理解し、請求人の商品が特定されるにすぎないものであり、「イブ」、「ＩＢ」或いは「ＩＢＵ」を含む他社の商品と混同されて、他社の商品が誤って渡されることはないものと思料する。
　そもそも、薬剤はそれが誤って取り扱われた場合、重大な事故を発生しうるものであってみれば、商品を特定する商標は需要者、消費者、取扱者のいずれにおいても極めて慎重に判断しているのであり、商標の一部の一致のみをもって商品を取り扱うことは通常ないものと思料する。しかも、薬剤の商標は、商品を特定する標識であるが故に、厚生労働省の医薬承認を得て使用するものであり、他社の商品との混同は慎重に防止されているのである。
（２）また、請求人は、本件商標は商標「イブ」をアピールするような商標であると主張するが、「イブ」はｉｂｕｐｒｏｆｅｎの「ＩＢ」に由来するものであり、「ＥＶＥ」に由来するものではなく、「ｉｂｕｐｒｏｆｅｎ」をアピールするために「ＩＢ」を用いているのであるから、請求人の非難は当たらない。本件商標「イブフィックス／ＩＢＦＩＸ」は、単に「イブ」、「ＥＶＥ」のみを認識させることはなく、請求人の商標「イブ」、「ＥＶＥ」との関連性を想起させるものではない。
（３）被請求人は、本件商標と同様の「イブプロフェン(ｉｂｕｐｒｏｆｅｎ)」製剤のための商標として複数の下記登録商標を有しており、これら登録商標は、乙第３０号証として提出する「イブプロフェン製剤名称」と題したリストに示すような状況において使用されている。
　　　　　　　　　　　　　　記
ａ）「イブウェル／ＩＢＷＥＬＬ」　登録第2538742号(乙第１０号証)
ｂ）「イブフィット／ＩＢＦＩＴ」　登録第4547578号(無効2007-890020)
ｃ）「イブレスト／ＩＢＲＥＳＴ」　登録第4547579号(無効2007-890021)
ｄ）「イブフィックス／ＩＢＦＩＸ」　登録第4547580号(無効2007-890022)
ｅ）「イブアップ／ＩＢＵＰ」　登録第4547581号(無効2007-890023)
ｆ）「イブウイズ／ＩＢＷＩＴＨ」　登録第4547582号(無効2007-890024)
　これらの登録商標の内、今般請求人は上記ｂ）〜ｆ）の５件の登録商標に対して無効審判を請求してきたものであり、上記ａ）の商標「イブウェル／ＩＢＷＥＬＬ」については、従来何等の異議も無効も主張していない。しかも、上記ａ）の商標「イブウェル／ＩＢＷＥＬＬ」は、平成１４年３月から既に５年以上に亘って、平穏無事に使用されてきている。これらのことからすると、請求人は、「イブウェル／ＩＢＷＥＬＬ」の登録が有効なものと認めていると推測される。
　また、上記ａ）の商標の他に、ｃ）の商標「イブレスト／ＩＢＲＥＳＴ」は平成１５年８月から、ｅ）の商標「イブアップ／ＩＢＵＰ」は平成１７年８月から、ｆ）の商標「イブウイズ／ＩＢＷＩＴＨ」は平成１６年５月から、それぞれ使用されている。これら４件の商標は、いずれも「解熱鎮痛錠」について使用されてきているものであるが、請求人の商品との間において出所の混同を招来した事実は全く存在していない。
　これらの事実からしても、本件商標が引用商標と出所の混同を生ずるおそれはなく、本件審判請求の理由はいずれも成り立たないものであることは明らかである。
（４）請求人は、「ＥＶＥ」「イブ」は著名商標であるから、本件商標はこれと出所の混同を生ずると主張するが、本件商標は「ＥＶＥ」の文字を含むものではないので、請求人の主張は失当である。
　また、請求人が使用している商標は、英文字の「ＥＶＥ」とその表音表記としての「イブ」であり、片仮名の商標「イブ」のみが単独で独立して周知、著名になっているとは言い得ないものである。
５　まとめ
　以上のとおり、請求人が主張する「イブ」商標は、「ＥＶＥ」と関連して使用されてきた商標であり、「イブ」のみが独立して使用されてきたものではなく、「イブ」単独が需要者、商品に認識され知られているとはいい得ないものである。
　本件商標は、「ＩＢＦＩＸ／イブフィックス」であり、「ＥＶＥ」 を含む商標ではないので、仮に「イブ／ＥＶＥ」が著名であるとしても、それと類似する商標ではなく、また「イブ／ＥＶＥ」と出所の混同を生ずるおそれもないものであるから、本件審判請求は根拠がなく、成り立たないものである。
　
第４　当審の判断
１　引用商標の周知著名性について
（１）請求人の提出に係る証拠及びその主張の全趣旨によれば、以下の事実が認められる。
（ア）請求人は、引用商標を使用した鎮痛・解熱剤（以下「請求人商品」という。）を昭和６０年１２月に販売開始して以来、今日まで継続して販売しており、請求人商品は、２００３年度においては、同業者の鎮痛・解熱剤の中で第４位にランクされ、その販売金額は約５９億円になり、シェアは１１．９％を占めている（甲第９号証の１及び２並びに第１０号証）。請求人商品は、２００５年度においては、シェアが１３．４％となり、医薬品市場で５００種を超える鎮痛・解熱剤の中にあって第３位にランクされている（甲第２０及び第２１号証）。
（イ）請求人商品の発売については、昭和６０年１２月に新聞報道された（甲第９号証の１）。そして、請求人商品は、その販売開始直後の昭和６１年１月から週刊誌、テレビ、新聞等で大々的に宣伝広告され（一例として甲第２２ないし第２５号証）、その宣伝広告費は、販売開始の事実上の初年度である昭和６１年だけで６億７９００万円に達し、平成７年までの１０年間で３０億５２００万円、平成８年及び平成９年の２年間で４億円となっている（甲第２６号証）。
　また、請求人は、請求人商品と同系列の商品として「イブＡ錠」の商標を使用した鎮痛・解熱剤を販売しており、その広告宣伝費は平成１０年度から平成１５年度までに５億円を超えている（甲第１２号証）。
（ウ）新聞広告においては、請求人商品のパッケージ写真が掲載され、そのパッケージには「ＥＶＥ」の文字を大きく書した右側に「イブ」の文字が小さく表示されている。上記写真の上部には「今日からの鎮痛薬・・・イブ　新発売」と大きく表示され、同写真の右側には「＜イブ＞はイブプロフェン製剤。痛みのもと・・・鎮痛薬です。」等の説明文が記載され、さらに最下段に「ＥＶＥ」の文字を大書しその下に小さな「イブ」の文字を併記した態様の標章が掲載されている（甲第２２ないし第２５号証）。
　同様の広告は、請求人商品発売の新聞報道時においても行われており、さらに、その上部には「副作用の少ない鎮痛薬イブ」との見出しの記事が掲載されている（甲第９号証の２）。
　また、請求人商品は、前記（イ）の新聞報道の記事においては、「解熱鎮痛剤”イブ”」との見出のもとに紹介されており（甲第９号証の１）、さらに、２００３年度・２００５年度「ＳＤＩアニュアルレポート」における薬効別上位銘柄の販売状況の解熱鎮痛剤の項、及び２００６年版の「医療用医薬品集」における薬効分類：解熱鎮痛薬の項には、「イブ」として掲載されている（甲第１０号証、第２０号証及び第２１号証）。
（エ）さらに、請求人は、登録商標「エスタックイブ／Ｓ．ＴＡＣ　ＥＶＥ」に係る２種類の総合感冒薬を平成４年より販売しており、その商品パッケージには「エスタックイブ」又は「エスタックイブエース」（いずれも「イブ」の文字を「エスタック」の文字より大きく表示）の標章が顕著に表示されている（甲第１３号証の１及び２）。
（２）以上の認定事実によれば、引用商標は、申立人が鎮痛・解熱剤及び総合感冒薬について使用する商標として、本件商標の登録出願時には既に取引者、需要者の間に広く認識されていたものというべきであり、その状態は本件商標の登録時においても継続していたものというのが相当である。
２　本件商標について
　本件商標は、上記第１のとおりの構成からなるところ、その構成中の「ＦＩＸ」及び「フィックス」の文字は、「固定する、固定すること」等の意味を有する英語及び外来語として親しまれた語であること、また、本件商標は、その構成全体として特定の観念を生じる成語であるともいえないこと、などからすると、本件商標に接する取引者、需要者は本件商標を「ＩＢ」及び「イブ」の文字部分と「ＦＩＸ」及び「フィックス」の文字部分とからなるものとして認識し把握する場合も決して少なくないものといわざるを得ない。
３　商品の出所の混同のおそれについて
　以上の事情の下に、本件商標をその指定商品中の「薬剤」に属する「鎮痛・解熱剤及び総合感冒薬」について使用するときは、これに接する取引者、需要者は、その構成中の「イブ」の文字部分に注目して、周知・著名となっている引用商標を連想・想起し、該商品が請求人又は同人と経済的・組織的に何らかの関係を有する者の業務に係る商品であるかの如く、その出所について混同を生ずるおそれがあるものというべきである。
４　被請求人の主張について
（１）被請求人は、請求人が「鎮痛・解熱剤及び総合感冒薬」について使用している商標は、片仮名の「イブ」商標ではなく、英文字の「ＥＶＥ」とその表音としての「イブ」であり、「イブ」商標単独で需要者に広く認識されているものでない旨主張している。
　しかしながら、上記１（ウ）のとおり、請求人商品の発売当初より新聞等の宣伝広告には、「ＥＶＥ」及び「イブ」の文字を二段に書した商標が付された商品パッケージの写真が使用されると共に、その写真とは別に片仮名のみの「イブ」商標も掲載されていたこと、新聞報道記事や書籍での紹介においても請求人商品を「イブ」として特定されていたこと、引用商標から「イブ」の称呼が生ずることは明らかであり、簡易迅速を尊ぶ商取引の場においては、商標の外観（綴り）を確認することなく、称呼によって取引されることも少なくないこと、などからすれば、英文字の「ＥＶＥ」商標のみならず、片仮名のみの「イブ」商標自体も使用されていたものというべきであり、引用商標は、片仮名のみの「イブ」商標を含め、いずれも取引者、需要者の間に広く認識されていたものというのが相当であるから、被請求人の主張は採用することができない。
（２）被請求人は、本件商標中の「ＩＢ」は非ステロイド系消炎鎮痛剤として知られるイブプロフェン（ｉｂｕｐｒｏｆｅｎ）に由来するものであり、本件商標は一連不可分の造語であって、「ＥＶＥ」と一体に理解・認識されている引用商標を含むものでない旨主張している。
　しかしながら、「ＩＢ」が上記イブプロフェンに由来するものであるとしても、本件商標は、その構成中に「イブ」の文字が含まれていることは明らかであり、一連一体の成語として一般に広く認識されていると認めるに足る証左もなく、むしろ、前示のように、本件商標がその指定商品中「鎮痛・解熱剤及び総合感冒薬」について使用された場合には、周知・著名となっている引用商標の「イブ」が連想・想起されるというべきであるから、被請求人の主張は採用することができない。
（３）被請求人は、「イブ」、「イヴ」を語頭部に有する商標が引用商標とは類似しないものとして多数登録されているとして証拠を提出している。
　しかしながら、被請求人の掲げる登録例は、本件とは商標の構成態様等が相違し事案を異にするものであるほか、商標の類否は、対比する商標について個別具体的に判断されるべきであるし、また、商品の出所の混同を生ずるおそれがあるか否かについては、商標の周知・著名性の程度、商標・商品の類似性、使用状況、需要者層等の具体的な事情を総合的に考察して判断されるべきであるから、上記登録例をもって本件の判断が左右されるものでもない。
５　まとめ
　以上のとおり、本件商標をその指定商品中の「鎮痛・解熱剤及び総合感冒薬」について使用するときは、商品の出所について混同を生ずるおそれがあるものというべきであり、本件商標は、その指定商品中上記商品については、商標法第４条第１項第１５号に違反して登録されたものであるから、同法第４６条第１項の規定に基づき、その登録を無効にすべきものである。
　よって、結論のとおり審決する。